【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
医療用装置で薬剤を患者に投与する方法であって、
識別受信機を通して第２のコンピュータと通信している第１のコンピュータで介護人特有の識別情報を受信するステップと、
第１のコンピュータで薬物容器特有の識別情報を識別受信機から受信するステップであって、薬物容器特有の識別情報が薬剤を含む容器上に配置される、該ステップと、
第１のコンピュータで医療用装置特有の識別情報を識別受信機から受信するステップと、
薬物容器特有の識別情報に基づいて医療用装置特有の投与情報を取り出すステップと、
医療用装置特有の識別情報および医療用装置特有の投与情報を第１のコンピュータから第２のコンピュータに伝達するステップと、
医療用装置特有の投与情報を第２のコンピュータから医療用装置に伝達するステップと、
薬剤を患者に投与するように医療用装置をプログラミングするために、医療用装置特有の投与情報を医療用装置メモリに記憶するステップと、
前述の伝達ステップの少なくとも１つの後に、第１のコンピュータで患者特有の識別情報を識別受信機から受信するステップと、
受信した薬物容器特有の識別情報および患者特有の識別情報の少なくとも一方を第１のコンピュータに結合された第１のメモリ内に記憶された薬剤指示情報と比較するステップと、
受信した薬物容器特有の識別情報および／または患者特有の識別情報が第１のコンピュータに結合された第１のメモリ内に記憶された薬剤指示情報と一致する場合に、第１の薬剤投与開始信号を第２のコンピュータに伝達するステップと、
第２のコンピュータでの第１の薬剤投与開始信号の受信に少なくとも部分的に応じて、医療用装置によって前に受信した医療用装置特有の投与情報を使用して、患者への薬剤の投与を開始するように、第２の薬剤投与開始信号を医療用装置に伝達しするステップとを含む、方法。
【請求項２】
第１のコンピュータがシッククライアントであり、情報受信機が第１のコンピュータと一体的であるバーコード読取装置である、請求項１に記載の方法。
【請求項３】
比較ステップがシッククライアントによって行われる、請求項２に記載の方法。
【請求項４】
情報受信機が、入力装置と一体的であるバーコードリーダであり、情報受信機が、情報をバーコード形式で受信し、情報を第１のコンピュータに伝達する、請求項１に記載の方法。
【請求項５】
比較ステップが第１のコンピュータによって行われる、請求項４に記載の方法。
【請求項６】
医療用装置特有の投与情報を第２のコンピュータから医療用装置に伝達するステップが、医療用装置のディスプレイ上に医療用装置特有の投与情報を表示することなく行われる、請求項１に記載の方法。
【請求項７】
医療用装置特有の識別情報および医療用装置特有の投与情報を第１のコンピュータから第２のコンピュータに伝達するステップがまた、介護人特有の識別情報および薬物容器特有の識別情報を第１のコンピュータから第２のコンピュータに伝達するステップを含む、請求項１に記載の方法。
【請求項８】
医療用装置特有の投与情報が、医療用装置によって受信された確認信号を第２のコンピュータで受信するステップをさらに含む、請求項１に記載の方法。
【請求項９】
医療用装置特有の投与情報が、医療用装置によって受信された確認信号を第１のコンピュータで受信するステップをさらに含む、請求項１に記載の方法。
【請求項１０】
第２のコンピュータが医療用装置特有の投与情報を医療用装置に伝達したことを確認する確認信号を第２のコンピュータから第１のコンピュータに伝達するステップをさらに含む、請求項１に記載の方法。
【請求項１１】
医療用装置特有の投与情報を医療用装置のディスプレイ上に表示するステップをさらに含む、請求項１に記載の方法。
【請求項１２】
ディスプレイ上に表示された医療用装置特有の投与情報が、患者に対して正しいという確認を医療用装置で介護人から受信するステップをさらに含む、請求項１１に記載の方法。
【請求項１３】
識別受信機から第２のコンピュータと通信している第１のコンピュータで介護人特有の識別情報を受信するステップが、識別受信機と通信している第２のコンピュータで介護人特有の識別情報を受信し、介護人特有の識別情報を第１のコンピュータに伝達することによって行われる、請求項１に記載の方法。
【請求項１４】
第１のコンピュータで情報受信機からの薬物容器特有の識別情報を受信するステップが、識別受信機と通信している第２のコンピュータで薬物容器特有の識別情報を受信し、薬物容器特有の識別情報を第１のコンピュータに伝達することによって行われる、請求項１に記載の方法。
【請求項１５】
第１のコンピュータで情報受信機からの医療用装置特有の識別情報を受信するステップが、識別受信機と通信している第２のコンピュータで医療用装置特有の識別情報を受信し、医療用装置特有の識別情報を第１のコンピュータに伝達することによって行われる、請求項１に記載の方法。
【請求項１６】
識別受信機が、バーコードを読み取るバーコード読取装置、およびＲＦＩＤタグを読み取るＲＦ受信機からなる群から選択される、請求項１に記載の方法。
【請求項１７】
識別受信機が、それぞれ視覚コードまたはコード化された電子信号を光学的または電子的に識別するように、その中に受信機を有する無線および手持ち式携帯情報端末を備える、請求項１に記載の方法。
【請求項１８】
第１のコンピュータに結合された第１のメモリがさらに、複数の医療用投与記録（ＭＡＲ）を含み、少なくとも１つのＭＡＲが薬剤指示を含む、請求項１に記載の方法。
【請求項１９】
第２のメモリが第２のコンピュータに結合され、第１および第２のメモリの少なくとも一方が医療用装置位置情報を含む、請求項１に記載の方法。
【請求項２０】
第２のメモリが第２のコンピュータに結合され、第２のメモリが医療用装置位置情報を含み第２のコンピュータが第１のプロセッサから受信された医療用装置位置情報および医療用装置特有の識別情報を利用して、どの医療用装置が医療用装置特有の投与情報を伝達するのかを判断する、請求項１に記載の方法。
【請求項２１】
第２のコンピュータで医療用装置状況情報を受信するステップと、医療用装置状況情報を第２のコンピュータから第１のコンピュータに伝達するステップとをさらに含む、請求項１に記載の方法。
【請求項２２】
比較ステップが、患者特有の識別情報を使用することなく行われる、請求項１に記載の方法。
【請求項２３】
薬物容器特有の識別情報が、患者識別情報、薬剤識別情報、全般的識別情報、薬剤指示情報、および／または医療用装置投与情報の少なくとも１つを含む、請求項１に記載の方法。
【請求項２４】
第２のコンピュータが、臨床決定支持規則を含む薬剤管理コンピュータを含み、薬剤指示情報が患者特有の指示情報を含み、
患者特有の指示情報を第２のコンピュータに伝達するステップと、
臨床決定支持規則の少なくとも１つに対して医療用装置特有の投与情報および患者特有の薬剤指示情報を選別するステップと、
臨床決定支持規則のいずれかが違反された場合に介護人に警告するステップとをさらに含む、請求項１に記載の方法。
【請求項２５】
介護人に警告するステップが、医療用装置で警告を発生するステップを含む、請求項２４に記載の方法。
【請求項２６】
薬剤管理ユニットが、医療用装置と相互作用する複数のプログラムを記憶する記憶媒体を有するコンピュータサーバを備える、請求項２４に記載の方法。
【請求項２７】
プログラムにアクセスし、サーバ上でデータを操作するように、サーバに接続された医療用装置から離れた少なくとも１つの端末をさらに備える、請求項２６に記載の方法。
【請求項２８】
少なくとも１つの端末が、薬剤管理ユニットコンソール、および薬剤管理ユニットコンソールから離れた物理的位置にある薬物ライブラリエディタコンソールを備える、請求項２７に記載の方法。
【請求項２９】
介護人が医療用装置で医療用装置特有の投与情報を認証した後にだけ、患者に対する薬剤指示に基づいて医療用装置が医療用装置特有の投与情報内の指示を行うことを可能にするステップをさらに含む、請求項１に記載の方法。
【請求項３０】
医療用装置で薬剤を患者に投与する方法であって、
識別受信機を通して第２のコンピュータと通信している第１のコンピュータで介護人特有の識別情報を受信するステップと、
第１のコンピュータで薬物容器特有の識別情報を識別受信機から受信するステップであって、薬物容器特有の識別情報が薬剤を含む容器上に配置される、該ステップと、
第１のコンピュータで医療用装置特有の識別情報を識別受信機から受信するステップと、
第１のコンピュータで患者特有の識別情報を識別受信機から受信するステップと、
薬物容器特有の識別情報に基づいて医療用装置特有の投与情報を取り出すステップと、
医療用装置特有の識別情報および医療用装置特有の投与情報を第１のコンピュータから第２のコンピュータに伝達するステップと、
医療用装置特有の投与情報を第２のコンピュータから医療用装置に伝達するステップと、
薬剤を患者に投与するように医療用装置をプログラミングするために、医療用装置特有の投与情報を医療用装置メモリに記憶するステップと、
前述の伝達ステップの少なくとも１つの後に、受信した薬物容器特有の識別情報および患者特有の識別情報の少なくとも一方を第１のコンピュータに結合された第１のメモリ内に記憶された薬剤指示情報と比較するステップと、
受信した薬物容器特有の識別情報および／または患者特有の識別情報が第１のコンピュータに結合された第１のメモリ内に記憶された薬剤指示情報と一致する場合に、第１の薬剤投与開始信号を第２のコンピュータに伝達するステップと、
第２のコンピュータでの薬剤投与開始信号の受信に少なくとも部分的に応じて、医療用装置によって前に受信した医療用装置特有の投与情報を使用して、患者への薬剤の投与を開始するように、第２の薬剤投与開始信号を医療用装置に伝達するステップとを含む、方法。
【請求項３１】
比較ステップの前に患者特有の識別情報を第１のコンピュータから第２のコンピュータに伝達するステップをさらに含む、請求項３０に記載の方法。
【請求項３２】
比較ステップの前に患者特有の識別情報を第２のコンピュータから医療用装置に伝達するステップをさらに含む、請求項３１に記載の方法。
【請求項３３】
医療用装置で薬剤を患者に投与する方法であって、
識別受信機から第２のコンピュータと通信している第１のコンピュータで介護人特有の識別情報を受信するステップと、
第１のコンピュータで薬物容器特有の識別情報を識別受信機から受信するステップであって、薬物容器特有の識別情報が薬剤を含む容器上に配置される、該ステップと、
第１のコンピュータで医療用装置特有の識別情報を識別受信機から受信するステップと、
第１のコンピュータで患者特有の識別情報を識別受信機から受信するステップと、
医療用装置と通信している第２のコンピュータから医療用装置に対する利用可能状態信号を受信するステップと、
薬物容器特有の識別情報に基づき医療用装置特有の投与情報を取り出すステップと、
医療用装置に対する利用可能状態信号が、医療用装置が利用可能であることを示す場合、その後、医療用装置特有の投与情報を医療用装置に伝達し、薬剤を患者に投与するように医療用装置をプログラミングするために、医療用装置特有の投与情報を医療用装置メモリに記憶するステップとを含む、方法。
【請求項３４】
受信した薬物容器特有の識別情報および患者特有の識別情報の少なくとも一方を第１のコンピュータに結合された第１のメモリ内に記憶された薬剤指示情報と比較するステップと、
受信した薬物容器特有の識別情報および／または患者特有の識別情報が第１のメモリ内に記憶された薬剤指示情報と一致する場合に、第１の薬剤投与開始信号を医療用装置に伝達するステップとをさらに含む、請求項３３に記載の方法。
【請求項３５】
医療用装置に対する利用可能状態信号が医療用装置が利用可能であることを示す場合に、請求項３０の比較および伝達ステップが行われるだけである、請求項３４に記載の方法。
【請求項３６】
受信した薬物容器特有の識別情報および患者特有の識別情報の少なくとも一方を第１のコンピュータに結合された第１のメモリ内に記憶された薬剤指示情報と比較するステップと、
受信した薬物容器特有の識別情報および／または患者特有の識別情報が第１のメモリ内に記憶された薬剤指示情報と一致する場合に、医療用装置特有の投与情報を医療用装置に伝達するだけであるステップとをさらに含む、請求項３３に記載の方法。
【請求項３７】
医療用装置に対する利用可能状態信号が医療用装置が利用可能でないことを示す場合、医療用装置への医療用装置特有の投与情報のあらゆる伝達を防ぐステップをさらに含む、請求項３３に記載の方法。
【請求項３８】
医療用装置に対する利用可能状態信号が医療用装置が利用可能であることを示す場合、
第２のコンピュータで第１のキー情報および第２のキー情報を生成するステップと、
第２のコンピュータから第１のキー情報を第１のコンピュータに伝達するステップと、
第２のコンピュータから第２のキー情報を医療用装置に伝達するステップと、
医療用装置特有の投与情報と共に第１のコンピュータから第１のキー情報を医療用装置に伝達するステップと、
医療用装置で第１のキー情報を第２のキー情報と比較するステップとをさらに含む、請求項３３に記載の方法。
【請求項３９】
第１のキー情報と第２のキー情報の間に一致が存在する場合、少なくとも医療用装置特有の投与情報が患者に対して正しいということを確認するために介護人が検討するように、医療用装置のディスプレイ上に医療用装置特有の投与情報を表示するステップを含む、請求項３８に記載の方法。
【請求項４０】
第１のキー情報と第２のキー情報の間に一致が存在する場合、医療用装置特有の投与情報により医療用装置を作動させるステップを含む、請求項３８に記載の方法。
【請求項４１】
第１のキー情報および第２のキー情報の少なくとも一方が、暗号化安全トークンである、請求項３８に記載の方法。
【請求項４２】
医療用装置が、ＩＰアドレスを含み、この方法はさらに、医療用装置に対する利用可能状態信号が医療用装置が利用可能であることを示す場合に、医療用装置のＩＰアドレスを第２のコンピュータから第１のコンピュータに伝達するステップをさらに含む、請求項３３に記載の方法。
【請求項４３】
第１のコンピュータおよび第１のコンピュータに結合された第１のメモリが、医療用装置のＩＰアドレスを維持しない、請求項４２に記載の方法。
【請求項４４】
第１のコンピュータに結合された第１のメモリが、どの医療装置に医療用装置特有の投与情報が伝達されるかを追跡するように、患者のＭＡＲ内に医療用装置のＩＰアドレスを記憶する、請求項４２に記載の方法。
【請求項４５】
医療用装置に対する利用可能状態信号が医療用装置が利用可能であることを示す場合、
第２のコンピュータで第１のキー情報および第２のキー情報を生成するステップであって、第１のキー情報がタイムスタンプを含む、該ステップと、
第２のコンピュータから第１のキー情報を第１のコンピュータに伝達するステップと、
第２のコンピュータから第２のキー情報を医療用装置に伝達するステップと、
第１のコンピュータでタイムスタンプを第１の実際の時間と比較するステップであって、タイムスタンプと第１の実際の時間の差が所定の時間基準より小さい場合に、その後医療用装置への医療用装置特有の投与情報と共に第１のコンピュータから第１のキー情報を医療用装置に伝達する、該ステップとをさらに含む、請求項３３に記載の方法。
【請求項４６】
タイムスタンプを医療用装置に伝達するステップと、
医療用装置でタイムスタンプを実際の時間と比較するステップであって、タイムスタンプと第２の実際の時間の差が所定の時間基準より小さい場合に、その後医療用装置特有の投与情報で医療用装置をプログラミングする、該ステップとをさらに含む、請求項４５に記載の方法。
【請求項４７】
医療用装置に対する利用可能状態信号が医療用装置が利用可能であることを示す場合、
第２のコンピュータで第１のキー情報および第２のキー情報を生成するステップであって、第１のキー情報が第１のタイムスタンプを含み、第２のキー情報が第２のタイムスタンプを含む、該ステップと、
第２のコンピュータから第１のキー情報を第１のコンピュータに伝達するステップと、
第２のコンピュータから第２のキー情報を医療用装置に伝達するステップと、
医療用装置で第１のタイムスタンプおよび第２のタイムスタンプを実際の時間と比較するステップであって、第１のタイムスタンプと実際の時間の差、および第２のタイムスタンプと実際の時間の差が両方とも所定の時間基準より小さい場合、その後、医療用装置特有の投与情報で医療用装置をプログラミングする、該ステップとを含む、請求項３３に記載の方法。
【請求項４８】
医療用装置で薬剤を患者に投与する方法であって、
識別受信機から第２のコンピュータと通信している第１のコンピュータで介護人特有の識別情報を受信するステップと、
第１のコンピュータで薬物容器特有の識別情報を識別受信機から受信するステップであって、薬物容器特有の識別情報が薬剤を含む容器上に配置される、該ステップと、
第１のコンピュータで医療用装置特有の識別情報を識別受信機から受信するステップと、
第１のコンピュータで患者特有の識別情報を識別受信機から受信するステップと、
医療用装置と通信している第２のコンピュータから医療用装置に対する利用可能状態信号を受信するステップであって、医療用装置に対する利用可能状態信号が医療用装置が利用可能であることを示す、該ステップと、
その後、受信した薬物容器特有の識別情報および患者特有の識別情報の少なくとも一方を第１のコンピュータに結合された第１のメモリ内に記憶された薬剤指示情報と比較するステップと、
受信した薬物容器特有の識別情報および／または患者特有の識別情報が、第１のコンピュータに結合された第１のメモリ内に記憶された薬剤指示情報と一致した場合に、第１のコンピュータで薬物容器特有の識別情報に基づいて医療用装置特有の投与情報を取り出し、薬剤を患者に投与するように医療用装置をプログラミングするために、医療用装置特有の投与情報を医療用装置に伝達するステップとを含む、方法。
【請求項４９】
薬剤を患者に投与するシステムであって、
介護人特有の識別情報、薬剤を含む容器上に配置された薬物容器特有の識別情報、および医療用装置特有の識別情報を受ける識別受信機と、
医療用装置特有の投与情報を含む薬剤指示情報を記憶する第１のメモリと、
介護人特有の識別情報、薬物容器特有の識別、および医療用装置特有の識別情報を受けるように、識別受信機と通信している第１のメモリに結合された第１のコンピュータであって、薬物容器特有の識別情報に基づいて医療用装置特有の投与情報を取り出すように構成されている第１のコンピュータと、
第１のコンピュータと通信している第２のコンピュータであって、第１のコンピュータが第２のコンピュータに医療用装置特有の識別情報および医療用装置特有の投与情報を伝達するように構成されている第２のコンピュータと、
第２のコンピュータと通信している医療用装置であって、第２のコンピュータが薬剤を患者に投与するように医療用装置をプログラミングするために、医療用装置特有の投与情報を医療用装置に伝達するように構成され、第１のコンピュータがさらに、患者特有の識別情報を受信し、医療用装置特有の投与情報が第２のコンピュータおよび医療用装置の少なくとも一方に伝達された後に、少なくとも受信した薬物容器特有の識別情報および患者特有の識別情報を第１のメモリ内に記憶された薬剤指示情報と比較するように構成されており、第１のコンピュータがまた、受信した薬物容器特有の識別情報および／または患者特有の識別情報が記憶された薬剤指示情報と一致する場合に、第１の薬剤投与開始信号を第２のコンピュータに伝達するように構成されており、第２のコンピュータが、薬剤投与開始信号を受信し、医療用装置によって前に受信した医療用装置特有の投与情報を使用して患者への薬剤の投与を開始するように第２の薬剤投与開始信号を医療用装置に伝達するように構成されている医療用装置とを備える、システム。
【請求項５０】
第１のコンピュータが、少なくとも第１のコンピュータ機能を行うためのポイントオブケアソフトウェアコードを含む、ポイントオブケアシステムの一部である、請求項４９に記載のシステム。
【請求項５１】
第２のコンピュータが、第２のコンピュータ機能を行うための薬剤管理ソフトウェアコードを含む、請求項４９に記載のシステム。
【請求項５２】
第１のコンピュータが、患者情報を受信する入院ソフトウェアモジュール、薬剤指示を受信する指示入力ソフトウェアモジュール、および薬剤指示を受信および処理する薬局情報システムソフトウェアモジュールを含む、病院情報システム（ＨＩＳ）と通信しているポイントオブケアシステムの一部である、請求項４９に記載のシステム。
【請求項５３】
医療用装置がディスプレイを備えており、医療用装置特有の投与情報が第２のコンピュータから受信された後に、医療用装置が第２の薬剤投与開始信号を受信する後まで、ディスプレイが医療用装置のディスプレイ上に医療用装置特有の投与情報を表示しない、請求項４９に記載のシステム。
【請求項５４】
医療用装置が、ディスプレイ上に表示された医療用装置特有の投与情報が、患者に対して正しいという確認を介護人から受信するように構成された、請求項５３に記載のシステム。
【請求項５５】
薬剤を患者に投与するシステムであって、
介護人特有の識別情報、薬剤を含む容器上に配置された薬物容器特有の識別情報、医療用装置特有の識別情報、および患者特有の識別情報を受ける識別受信機と、
医療用装置特有の投与情報を含む薬剤指示情報を記憶する第１のメモリと、
介護人特有の識別情報、薬物容器特有の識別、および医療用装置特有の識別情報を受けるように、識別受信機と通信している第１のメモリに結合された第１のコンピュータであって、薬物容器特有の識別情報に基づいて医療用装置特有の投与情報を取り出すように構成されている第１のコンピュータと、
第１のコンピュータと通信している第２のコンピュータであって、第１のコンピュータが第２のコンピュータに医療用装置特有の識別情報および医療用装置特有の投与情報を伝達するように構成されている第２のコンピュータと、
第２のコンピュータと通信している医療用装置であって、第２のコンピュータが薬剤を患者に投与するように医療用装置をプログラミングするために、医療用装置特有の投与情報を医療用装置に伝達するように構成され、第１のコンピュータがさらに、医療用装置特有の投与情報が第２のコンピュータおよび医療用装置の少なくとも一方に伝達された後に、少なくとも受信した薬物容器特有の識別情報および患者特有の識別情報を第１のメモリ内に記憶された薬剤指示情報と比較するように構成されており、第１のコンピュータがまた、受信した薬物容器特有の識別情報および／または患者特有の識別情報が記憶された薬剤指示情報と一致する場合に、第１の薬剤投与開始信号を第２のコンピュータに伝達するように構成されており、第２のコンピュータが、薬剤投与開始信号を受信し、医療用装置によって前に受信した医療用装置特有の投与情報を使用して患者への薬剤の投与を開始するように第２の薬剤投与開始信号を医療用装置に伝達するように構成されている医療用装置とを備える、システム。
【請求項５６】
薬剤を患者に投与するシステムであって、
介護人特有の識別情報、薬剤を含む容器上に配置された薬物容器特有の識別情報、および医療用装置特有の識別情報、および患者特有の識別情報を受ける識別受信機と、
医療用装置特有の投与情報を含む薬剤指示情報を記憶する第１のメモリと、
介護人特有の識別情報、薬物容器特有の識別、および医療用装置特有の識別情報を受けるように、識別受信機と通信している第１のメモリに結合された第１のコンピュータであって、薬物容器特有の識別情報に基づいて医療用装置特有の投与情報を取り出すように構成されている第１のコンピュータと、
薬剤を患者に投与するように、第１のコンピュータと通信しており、医療用装置メモリを有する医療用装置と、
第１のコンピュータに医療用装置に対する利用可能状態信号を伝達するように構成された、第１のコンピュータおよび医療用装置と通信している第２のコンピュータであって、第１のコンピュータが薬物容器特有の識別情報に基づき医療用装置特有の投与情報を引き出すように構成され、医療用装置に対する利用可能状態信号が医療用装置が利用可能であることを示す場合に医療用装置特有の投与情報を医療用装置に伝達するように構成されており、医療用装置が、薬剤を患者に投与するように医療用装置をプログラミングするために、医療用装置特有の投与情報を医療用装置メモリに記憶するように構成されている第２のコンピュータとを備えた、システム。
【請求項５７】
第１のコンピュータがさらに、受信した薬物容器特有の識別情報および患者特有の識別情報の少なくとも一方を第１のメモリ内に記憶された薬剤指示情報と比較するように構成されており、また受信した薬物容器特有の識別情報および／または患者特有の識別情報が第１のメモリ内に記憶された薬剤指示情報と一致する場合に、第１の薬剤投与開始信号を医療用装置に伝達するように構成されている、請求項５６に記載のシステム。
【請求項５８】
第１のコンピュータがさらに、受信した薬物容器特有の識別情報および患者特有の識別情報の少なくとも一方を第１のコンピュータに結合された第１のメモリ内に記憶された薬剤指示情報と比較するように構成されており、また受信した薬物容器特有の識別情報および／または患者特有の識別情報が第１のメモリ内に記憶された薬剤指示情報と一致する場合に、医療用装置特有の投与情報を医療用装置に伝達するだけであるように構成されている、請求項５６に記載のシステム。
【請求項５９】
第１のコンピュータがさらに、医療用装置に対する利用可能状態信号が医療用装置が利用可能でないことを示す場合、医療用装置への医療用装置特有の投与情報のあらゆる伝達を防ぐように構成されている、請求項５６に記載のシステム。
【請求項６０】
第２のコンピュータがさらに、第１のキー情報および第２のキー情報を生成し、第１のキー情報を第１のコンピュータに伝達し、第２のキー情報を医療用装置に伝達するように構成されており、第１のコンピュータがさらに、医療用装置特有の投与情報と共に第１のキー情報を医療用装置に伝達するように構成され、医療用装置が第１のキー情報を第２のキー情報と比較するように構成されている、請求項５６に記載のシステム。
【請求項６１】
医療用装置がさらに、医療用装置に対する利用可能状態信号が医療用装置が利用可能であることを示し、第１のキー情報と第２のキー情報の間に一致が存在する場合、少なくとも医療用装置特有の投与情報が患者に対して正しいということを確認するために介護人が検討するように、医療用装置のディスプレイ上に医療用装置特有の投与情報を表示するように構成されている、請求項６０に記載のシステム。
【請求項６２】
医療用装置がさらに、第１のキー情報と第２のキー情報の間に一致が存在する場合、医療用装置特有の投与情報により医療用装置を作動させるように構成されている、請求項６０に記載のシステム。
【請求項６３】
第２のコンピュータがさらに、タイムスタンプを有する第１のキー情報、および第２のキー情報を生成し、第１のキー情報を第１のコンピュータに伝達し、第２のキー情報を医療用装置に伝達するように構成されており、第１のコンピュータがさらに、タイムスタンプを第１の実際の時間と比較し、タイムスタンプと第１の実際の時間の差が所定の時間基準より小さく、医療用装置に対する利用可能状態信号が医療用装置が利用可能であることを示している場合に、医療用装置への医療用装置特有の投与情報と共に第１のキー情報を医療用装置に伝達するように構成されている、請求項５６に記載のシステム。
【請求項６４】
第１のコンピュータがさらに、タイムスタンプを医療用装置に伝達するように構成されており、医療用装置がさらに、タイムスタンプを実際の時間と比較し、タイムスタンプと第２の実際の時間の差が所定の時間基準より小さい場合に、医療用装置特有の投与情報で医療用装置をプログラミングするように構成されている、請求項６３に記載のシステム。
【請求項６５】
第２のコンピュータがさらに、第１のキー情報および第２のキー情報を生成するように構成されており、第１のキー情報が第１のタイムスタンプを含み、第２のキー情報が第２のタイムスタンプを含んでおり、第２のコンピュータから第１のキー情報を第１のコンピュータに伝達するように構成され、第２のキー情報を医療用装置に伝達するように構成されており、医療用装置がさらに、第１のタイムスタンプおよび第２のタイムスタンプを実際の時間と比較するように構成され、さらに、第１のタイムスタンプと実際の時間の差、および第２のタイムスタンプと実際の時間の差が両方とも所定の時間基準より小さい場合、医療用装置特有の投与情報で医療用装置をプログラミングするように構成されている、請求項５６に記載のシステム。
【請求項６６】
医療用装置を使用して薬剤を患者に投与するのを助ける薬剤管理コンピュータ内の動作用のコンピュータプログラム製品であって、
識別受信機を通してポイントオブケアコンピュータによって受信された薬物容器特有の識別情報に基づいて、ポイントオブケアコンピュータが医療用装置特有の投与情報を取り出すのに応じて、ポイントオブケアコンピュータから医療用装置特有の識別情報および医療用装置特有の投与情報を受信する第１のコードセグメントと、
医療用装置特有の投与情報を医療用装置に伝達する第２のコードセグメントと、
薬物容器特有の識別情報および／または患者特有の識別情報が、第１のコンピュータに結合された第１のメモリ内に記憶された薬剤指示情報と一致する場合に、ポイントオブケアコンピュータから第１の薬剤投与開始信号を受けるように、第２のコードセグメントの後の動作に対する第３のコードセグメントと、
前に医療用装置に伝達された医療用装置特有の投与情報を使用して、患者への薬剤の投与を開始するように、第２の薬剤投与開始信号を医療用装置に伝達する第４のコードセグメントとを備える、製品。
【請求項６７】
ポイントオブケアコンピュータが、識別受信機から介護人特有の識別情報を受信し、情報受信機から薬剤を含む容器上に配置された薬物容器特有の識別情報を受信し、医療用装置特有の識別情報を情報受信機から受信し、患者特有の識別情報を受信し、受信した薬物容器特有の識別情報および患者特有の識別情報の少なくとも一方を第１のコンピュータに結合された第１のメモリ内に記憶された薬剤指示情報と比較するように構成されている、請求項６６に記載の製品。
【請求項６８】
医療用装置特有の投与情報が、医療用装置によって受信されたという確認信号を受信する第５のコードセグメントをさらに備える、請求項６６に記載の製品。
【請求項６９】
医療用装置特有の投与情報が、医療用装置によって受信されたという確認信号を第１のコンピュータに伝達する第６のコードセグメントをさらに備える、請求項６８に記載の製品。
【請求項７０】
薬剤管理コンピュータが、医療用装置特有の投与情報を医療用装置に伝達したことを確認する確認信号を、ポイントオブケアコンピュータに伝達する第５のコードセグメントをさらに備える、請求項６８に記載の製品。
【請求項７１】
医療用装置を使用して薬剤を患者に投与するのを助ける薬剤管理コンピュータ内の動作用のコンピュータプログラム製品であって、
医療用装置の利用可能状態を判断する第１のコードセグメントと、
医療用装置に対する利用可能状態信号をポイントオブケアコンピュータに伝達する第２のコードセグメントであって、医療用装置に対する利用可能状態信号が医療用装置が利用可能であることを示す場合、薬剤を患者に投与するように医療用装置をプログラミングするために、ポイントオブケアコンピュータが医療用装置特有の投与情報を医療用装置に伝達する第２のコードセグメントとを備える、製品。
【請求項７２】
第１のキー情報および第２のキー情報を生成する第３のコードセグメントと、
第１のキー情報をポイントオブケアコンピュータに伝達する第４のコードセグメントと、
第２のキー情報を医療用装置に伝達する第５のコードセグメントであって、第１のキー情報がポイントオブケアコンピュータによって医療用装置に伝達され、医療用装置特有の投与情報により薬剤を患者に投与するように医療用装置をプログラミングすべきかどうか判断するのに、第１のキー情報および第２のキー情報が、医療用装置で比較される第５のコードセグメントとをさらに備える、請求項７１に記載の製品。
【請求項７３】
第３のコードセグメントが、暗号化安全トークンを生成するために提供される、請求項７２に記載の製品。
【請求項７４】
第１のキー情報および第２のキー情報を生成する第３のコードセグメントであって、第１のキー情報がタイムスタンプを含む第３のコードセグメントと、
第１のキー情報をポイントオブケアコンピュータに伝達する第４のコードセグメントと、
第２のキー情報を医療用装置に伝達する第５のコードセグメントであって、第１のキー情報がポイントオブケアコンピュータによって医療用装置に伝達され、タイムスタンプがポイントオブケアコンピュータで第１の実際の時間と比較され、タイムスタンプと第１の実際の時間の差が所定の時間基準より小さい場合、第１のキー情報および医療用装置特有の投与情報が、ポイントオブケアコンピュータから医療用装置に伝達される第５のコードセグメントとをさらに備える、請求項７１に記載の製品。
【請求項７５】
タイムスタンプおよび実際の時間が医療用装置によって比較され、タイムスタンプと第２の実際の時間の差が所定の時間基準より小さい場合に、医療用装置特有の投与情報が医療用装置をプログラミングするのに使用される、請求項７４に記載の製品。
【請求項７６】
医療用装置をプログラミングする方法であって、
医療用装置と通信している第２のコンピュータと通信している第１のコンピュータで、少なくとも医療用装置に関連する医療用装置識別子、および介護人識別子、薬剤容器識別子、および患者識別子からなる識別情報の群から選択した追加の識別情報を受信するステップと、
医療用装置識別子に関連する医療用装置に対するプログラミング情報を第１のコンピュータから第２のコンピュータに伝達するステップと、
第１のコンピュータ、第２のコンピュータ、および医療用装置の少なくとも１つを介して、プログラム情報を第２のコンピュータから医療用装置にダウンロードするプロンプトを送信するステップと、
プロンプトに応じて、医療用装置上で、医療用装置を作動させるようにプログラミングを第２のコンピュータから医療用装置にダウンロードする要求を開始するステップと、
要求に応じて、プログラミング情報を第２のコンピュータから医療用装置にダウンロードするステップとを含む、方法。
【請求項７７】
医療用装置をプログラミングするシステムであって、
薬剤を患者に投与するためにプログラミング情報を記憶する関連するメモリを含む第１のコンピュータと、
第１のコンピュータおよび医療用装置と通信している第２のコンピュータと、
第１のコンピュータ、第２のコンピュータおよび医療用装置の１つに結合されている、識別情報を入力する入力手段とを備え、
入力手段が、少なくとも医療用装置に関連する医療用装置識別子、および介護人識別子、薬剤容器識別子、および患者識別子からなる識別情報の群から選択した追加の識別情報を捕捉し、これを第１のコンピュータに供給し、
第１のコンピュータが、医療用装置識別子に関連する医療用装置をプログラミングするように、第２のコンピュータにプログラミング情報を伝達し、
第１のコンピュータ、第２のコンピュータおよび医療用装置の少なくとも１つが、医療用装置上の要求を開始してプログラミング情報を第２のコンピュータから医療用装置にダウンロードするようにユーザに指示し、
要求に応じて、第２のコンピュータが、プログラミング情報を医療用装置にダウンロードする、システム。
【請求項７８】
医療用装置をプログラミングする方法であって、
入力手段で少なくとも医療用装置に関連する医療用装置識別子、および指示ＩＤおよび薬剤ＩＤの少なくとも一方を含む、薬剤を入れた容器に関連する薬剤容器識別子を含む追加の識別情報を捕捉するステップと、
医療用装置および病院情報システムと通信している薬剤管理コンピュータにメッセージを伝達するステップであって、メッセージが少なくとも医療用装置識別子および追加の識別情報を含む、該ステップと、
メッセージが指示ＩＤを含むが薬剤ＩＤがない場合、指示ＩＤに対応する薬剤ＩＤを病院情報システムから薬剤管理コンピュータに対して取得するステップと、
メッセージが薬剤ＩＤを含むが指示ＩＤがない場合、任意選択で、薬剤ＩＤに対応する指示ＩＤを病院情報システムから薬剤管理コンピュータに対して取得するステップと、
病院情報システムから薬剤管理コンピュータに薬剤ＩＤに対応する薬剤名および濃度を提供するステップと、
薬剤管理コンピュータから医療用装置に薬剤名および濃度を含み、、医療用装置が医療用装置のメモリ内にある薬物ライブラリから薬物ライブラリ規則セットを自動的に選択することを可能にする選択薬剤メッセージを伝達するステップと、
医療用装置でプログラム設定を手動で入力するステップと、
プログラム設定を薬物ライブラリ規則セットと比較するステップと、
薬物ライブラリ規則セットのいずれかの違反がある場合、
警告を発生するステップと、
調節したプログラム設定を入力するステップ、および警告をオーバーライドするステップの一方を行うステップと、
薬物ライブラリ規則セットの全ての違反が解消するまで、比較、生成、調節およびオーバーライドステップを繰り返すステップと、
医療用装置でプログラム設定を確認するステップとを含む、方法。
【請求項７９】
追加の識別情報が、臨床医ＩＤを含んでおり、および選択薬剤メッセージが、臨床医ＩＤ、指示ＩＤ、薬剤ＩＤ、および医療用装置識別子を含む、請求項１に記載の方法。
【請求項８０】
薬物ライブラリ規則セットを含む薬物ライブラリを有する医療用装置をプログラミングするシステムであって、
少なくとも医療用装置に関連する医療用装置識別子、および指示ＩＤおよび薬剤ＩＤの少なくとも一方を含む、薬剤を入れた容器に関連する薬剤容器識別子を含む追加の識別情報を捕捉する入力手段と、
病院情報システムコンピュータと、
医療用装置および病院情報システムコンピュータと通信している薬剤管理コンピュータとを備え、
入力手段が、少なくとも医療用装置識別子および追加の識別情報を含むメッセージを薬剤管理コンピュータに伝達し、
指示ＩＤが入力手段によって伝達されたメッセージになかった場合、薬剤管理コンピュータが任意選択で、病院情報システムのコンピュータから指示ＩＤを取得し、
薬剤ＩＤが入力手段によって伝達されたメッセージになかった場合、薬剤管理コンピュータが、指示ＩＤに基づいて病院情報システムのコンピュータから薬剤ＩＤを取得し、
薬剤管理コンピュータが、病院情報システムから薬剤ＩＤに対応する薬剤名および濃度を取得し、薬剤名および濃度を含む選択薬剤メッセージを医療用装置に伝達し、
医療用装置が、選択薬剤メッセージに含まれた薬剤名および濃度に基づいて、薬物ライブラリから薬物ライブラリ規則セットを自動的に選択し、
医療用装置が、手動で入力されたプログラム設定を受信し、手動で入力されたプログラム設定を選択された薬物ライブラリ規則セットと比較し、違反が起こった場合に警告を発生させ、
医療用装置のユーザが、プログラム設定を確認する前に警告を解消するために、１）医療用装置上のプログラム設定を調節する、および２）警告をオーバーライドする動作の一方を行うことができるシステム。
【請求項８１】
追加の識別情報が、臨床医ＩＤを含み、および選択薬剤メッセージが、臨床医ＩＤ、指示ＩＤ、薬剤ＩＤ、および医療用装置識別子を含む、請求項３に記載のシステム。
【請求項８２】
追加の識別情報が患者識別情報を含むシステムであって、追加の識別情報のいずれかをＰＯＣシステムコンピュータに結合されたメモリ内に記憶された識別情報と比較し、不一致がある場合に警告を発生させるように、薬剤管理コンピュータと通信しているＰＯＣシステムコンピュータをさらに備える、請求項４に記載のシステム。
【請求項８３】
医療用装置が、手動入力の後にＰＯＣシステムコンピュータにプログラム設定を報告し、ＰＯＣシステムコンピュータが、プログラム設定をＰＯＣコンピュータのメモリ内に記憶された薬物安全ガイドラインと比較する、請求項５に記載のシステム。
【請求項８４】
医療用装置が、薬剤管理コンピュータを介してＰＯＣシステムコンピュータにプログラム設定を報告する、請求項６に記載のシステム。
【請求項８５】
医療用装置をプログラミングする方法であって、
ＰＯＣコンピュータおよび薬剤管理コンピュータで、患者ＩＤ、指示ＩＤ、および指示設定を含む、薬剤を容器から患者に投与する指示を受信するステップと、
受信ステップに応じて、薬剤管理コンピュータで患者ＩＤおよび指示ＩＤに基づき普遍的で独自の指示識別子を生成するステップと、
薬剤管理コンピュータに結合されたメモリ内に調査テーブルを生成するステップであって、指示設定がメモリ内に記憶され、生成された普遍的で独自の指示識別子に割り当てられる、該ステップと、
ＰＯＣシステムコンピュータ内で、臨床医からの臨床医ＩＤ、患者からの患者識別情報、薬剤を入れた容器からの薬剤ＩＤおよび指示ＩＤの一方を走査するステップと、
認可臨床医が、正しい患者に正しい薬剤を与えようとしていることを検証するステップと、
ポンプＩＤをＰＯＣシステムに入力するために医療用装置を走査するステップと、
走査したポンプＩＤ、走査した患者ＩＤ、走査した指示ＩＤ、および薬剤ＩＤを含むプログラムポンプメッセージを薬剤管理コンピュータに伝達するステップであって、プログラムポンプメッセージがさらに、指示ＩＤおよび薬剤ＩＤの少なくとも一方に基づく薬剤名および濃度を含む、該ステップと、
プログラムポンプメッセージに伝達された患者ＩＤおよび指示ＩＤにより、普遍的で独自の指示識別子に割り当てられた指示設定を調査テーブルから取り出すステップと、
医療用装置が医療用装置のメモリ内にある薬物ライブラリから薬物ライブラリ規則セットを自動的に選択することを可能にする、指示設定、薬剤名および濃度を医療用装置にダウンロードするステップと、
医療用装置でプログラム設定を手動で変更するステップと、
プログラム設定を薬物ライブラリ規則セットと比較するステップと、
薬物ライブラリ規則セットのいずれかの違反がある場合、
警告を発生するステップと、
プログラム設定を変更するステップ、および警告をオーバーライドするステップの一方を行うステップと、
薬物ライブラリ規則セットの全ての違反が解消するまで、比較、生成、変更およびオーバーライドステップを繰り返すステップと、
医療用装置でプログラム設定を確認するステップとを含む、方法。
【請求項８６】
薬物ライブラリ規則セットを含む薬物ライブラリを有する医療用装置をプログラミングするシステムであって、
識別情報、少なくとも医療用装置に関連する医療用装置識別子、および指示ＩＤおよび薬剤ＩＤの少なくとも一方を含む、薬剤を入れた容器に関連する薬剤容器識別子を含む追加の識別情報を捕捉および入力するスキャナと、
病院情報システムコンピュータと、
医療用装置および病院情報システムコンピュータと通信している薬剤管理コンピュータと、
病院情報システムコンピュータ、薬剤管理コンピュータ、およびスキャナと通信しているＰＯＣコンピュータとを備え、
ＰＯＣコンピュータおよび薬剤管理コンピュータが、患者ＩＤ、指示ＩＤ、および指示設定を含む、薬剤を容器から患者に投与する指示を病院情報システムから受信し、
薬剤管理コンピュータが、患者ＩＤおよび指示ＩＤに基づき普遍的で独自の指示識別子を生成し、薬剤管理コンピュータに結合されたメモリ内に調査テーブルを作り出し、指示設定が記憶され、生成された普遍的で独自の指示識別子に割り当てられ、
スキャナが、臨床医からの臨床医ＩＤ、患者からの患者識別情報、薬剤を入れた容器からの薬剤ＩＤおよび医療用装置からのポンプＩＤの一方を捕捉し、これをＰＯＣシステムコンピュータに入力し、
ＰＯＣシステムコンピュータが、スキャナによって入力された患者識別情報および指示ＩＤを病院情報システムコンピュータから受信した患者識別情報および指示ＩＤと比較することによって、認可臨床医が正しい患者に正しい薬剤を与えようとしていることを検証し、
ＰＯＣシステムが、走査したポンプＩＤ、走査した患者ＩＤ、走査した指示ＩＤ、および薬剤ＩＤを含むプログラムポンプメッセージを薬剤管理コンピュータに伝達し、プログラムポンプメッセージがさらに、指示ＩＤおよび薬剤ＩＤの少なくとも一方に基づく薬剤名および濃度を含んでおり、
薬剤管理コンピュータが、プログラムポンプメッセージに伝達された患者ＩＤおよび指示ＩＤにより、普遍的で独自の指示識別子に割り当てられた指示設定を調査テーブルから取り出し、
医療用装置が医療用装置のメモリ内にある薬物ライブラリから薬物ライブラリ規則セットを自動的に選択することを可能にする、指示設定、薬剤名および濃度を薬剤管理コンピュータが医療用装置にダウンロードし、
医療用装置が、ユーザが医療用装置でプログラム設定を手動で変更することを可能にし、自動的にプログラム設定を薬物ライブラリ規則セットと比較し、
薬物ライブラリ規則セットのいずれかの違反がある場合、
医療用装置が、警告を発生させ、医療用装置のユーザが、プログラム設定を確認する前に警告を解消するために、１）医療用装置上のプログラム設定を調節する、および２）警告をオーバーライドする動作の一方を行うことができる、システム。
【請求項８７】
薬物ライブラリ規則セットを含む薬物ライブラリを有する医療用装置をプログラミングする方法であって、
医療用装置と通信しているスキャナを提供するステップと、
薬剤を入れた薬剤容器上に指示ＩＤおよび薬剤ＩＤの一方に関連する指示設定を含む、医療用装置および第２のコンピュータの両方と通信している薬剤管理コンピュータを提供するステップと、
看護師臨床医ＩＤを取得するよう看護師を走査するステップと、
患者ＩＤを取得するよう患者を走査するステップと、
指示ＩＤおよび薬剤ＩＤの少なくとも一方を取得するよう薬剤容器を走査するステップと、
ポンプＩＤを取得するよう医療用装置を走査するステップと、
ポンプＩＤ、臨床医ＩＤ、患者ＩＤ、および指示ＩＤおよび薬剤ＩＤの少なくとも一方を含むプログラムポンプメッセージを医療用装置に伝達するステップと、
薬剤管理コンピュータが医療用装置に第２のコンピュータ用のＩＰアドレスを供給することを要求するステップと、
医療用装置から、第２のコンピュータが、プログラムポンプメッセージに含まれた指示ＩＤおよび薬剤ＩＤの一方に対応する指示設定を提供することを要求するステップと、
医療用装置に対するプログラミング可能な設定、および薬剤名および濃度を含む指示設定メッセージ内の指示設定を第２のコンピュータから医療用装置にダウンロードするステップと、
プログラムポンプメッセージ内に含まれる薬剤名および濃度に基づき、医療用装置のメモリ内にある薬物ライブラリから薬物ライブラリ規則セットを自動的に選択するステップと、
第２のコンピュータから受信した指示設定、およびスキャナによって伝達された情報で医療用装置上のプログラム設定領域を自動的にポピュレートするステップと、
プログラム設定を提供するように、医療用装置で指示設定を手動で補足および調節するステップと、
プログラム設定を薬物ライブラリ規則セットと比較するステップと、
薬物ライブラリ規則セットのいずれかの違反がある場合、
警告を発生するステップと、
プログラム設定を調節するステップ、および警告をオーバーライドするステップの一方を行うステップと、
薬物ライブラリ規則セットの全ての違反が解消するまで、比較、生成、調節およびオーバーライドステップを繰り返すステップと、
医療用装置でプログラム設定を確認するステップとを含む、方法。
【請求項８８】
薬物ライブラリ規則セットを含む薬物ライブラリを有する医療用装置をプログラミングするシステムであって、
医療用装置と通信しているスキャナと、
医療用装置と通信している薬剤管理コンピュータと、
薬剤管理コンピュータおよび医療用装置と通信しており、医療用装置をプログラミングするための指示設定を記憶した関連するメモリを有する第２のコンピュータとを備え、
スキャナが、臨床医からの臨床医ＩＤ、患者からの患者識別情報、薬剤を入れた容器からの薬剤ＩＤおよび指示ＩＤの一方、および医療用装置からのポンプＩＤを捕捉し、
スキャナが、ポンプＩＤ、臨床医ＩＤ、患者ＩＤ、および指示ＩＤおよび薬剤ＩＤの少なくとも一方を含むプログラムポンプメッセージを医療用装置に伝達し、
医療用装置が、薬剤管理コンピュータが医療用装置に第２のコンピュータ用のＩＰアドレスを供給することを要求し、
医療用装置が、第２のコンピュータが、プログラムポンプメッセージに含まれた指示ＩＤおよび薬剤ＩＤの一方に対応する指示設定を提供することを要求し、
第２のコンピュータが、医療用装置に対するプログラミング可能な設定、および薬剤名および濃度を含む指示設定メッセージ内の指示設定を医療用装置にダウンロードし、
医療用装置が、プログラムポンプメッセージ内に含まれる薬剤名および濃度に基づき、医療用装置のメモリ内にある薬物ライブラリから薬物ライブラリ規則セットを自動的に選択し、
医療用装置が、第２のコンピュータから受信した指示設定、およびスキャナによって伝達された情報で医療用装置上のプログラム設定領域を自動的にポピュレートし、
医療用装置が、ユーザがプログラム設定を定義するように医療用装置で指示設定を手動で調節することを可能にし、プログラム設定を薬物ライブラリ規則セットと自動的に比較し、
薬物ライブラリ規則セットのいずれかの違反がある場合、
医療用装置が、警告を発生し、医療用装置のユーザが、プログラム設定を確認する前に警告を解消するために、１）医療用装置上のプログラム設定を調節する、および２）警告をオーバーライドする動作の一方を行うことを可能にする、システム。